(57)【要約】【課題】  風向きや風の強さに影響されず、臭いや殺虫成分を含まず、安全性が高く、屋内や屋外でも効果があり、使用場所を選ばない、蚊刺され防止ライトを提供する。【解決手段】  近赤外線発光要素を持つ、光拡散型ＬＥＤ、光拡散型レーザーダイオード、光拡散型発光パネルなどを使用し、これらの近赤外線発光要素をケースに装着し、交流や直流を使用して点灯させた、蚊刺され防止ライトである。【選択図】図１
2013236611.tif 000002
【特許請求の範囲】
【請求項１】
少なくとも１つの近赤外線発光要素を持つ、光拡散型ＬＥＤ、光拡散型レーザーダイオード、光拡散型発光パネルなどを使用したことを特徴とする、蚊刺さされ防止ライト。
【請求項２】
少なくとも１つの近赤外線発光要素を持つ、光拡散型出ではないＬＥＤ、光拡散型ではないレーザーダイオード、光拡散型ではない発光パネルなどを使用したことを特徴とする蚊刺さされ防止ライト。
【発明の詳細な説明】
【技術分野】
【０００１】  本発明は、人や動物が蚊に刺されることを防止する蚊刺され防止ライトに関する。
【背景技術】
【０００２】  従来、人や動物が蚊に刺さされるのを防止（本発明では、蚊刺され防止という）する手段には、蚊帳、蚊とり線香、殺虫剤などがある。
以下、従来の蚊刺され防止の手段について説明する。
蚊帳は、蚊を蚊帳の中に侵入させないことで結果として蚊帳の中では蚊刺され防止になる。蚊帳は人に無害であるが、その効果は蚊帳の中に限られ、蚊帳を設置するには支持棒や柱などが必要となるために設置場所も限られ、また、屋外や携帯用には使用出来ないなどの問題がある。蚊とり線香は、該線香の煙が蚊を殺すことで結果として蚊刺され防止になるが、該線香の煙の風上や風のある所では蚊刺され防止の効果がなく、屋外では該線香の煙が拡散して蚊刺され防止の効果が少なく、また、その煙に臭いと殺虫成分が含まれており少なからず人や動物に有害であるなどの問題がある。殺虫剤は蚊を殺すことで結果として蚊刺され防止になるが、殺虫剤に臭いと殺虫成分が含まれているので人や動物に有害であり、使用場所や使用範囲も限定される。特に、スプレー式殺虫剤は、殺虫剤を噴霧しているときのみ効果があり持続性がなく、風上や風のある所では噴霧した霧が風に流され、屋外では噴霧した霧が拡散して蚊刺され防止の効果がなく、また、この霧に臭いと殺虫成分が含まれており人や動物に有害であるなどの問題がある。
【発明の概要】
【発明が解決しようとする課題】
【０００３】  本発明は、上記問題を解決するために、風の影響を受けず、屋内や屋外および携帯用などにも使用出来、使用場所や使用範囲を限定せず、何処でも何時でも使用出来、蚊刺され防止の効果に持続性があり、臭いや殺虫成分を含まず、人や動物に無害で安全性の高い、蚊刺され防止ライトを提供することを目的としている。
【課題を解決するための手段】
【０００４】  本発明は、上記目的を達成するために、少なくとも１つの近赤外線発光要素を持つ、光拡散型ＬＥＤ、光拡散型レーザーダイオード、光拡散型発光パネルなどを使用し、この近赤外線発光要素を直流や交流を使用して点灯させた蚊刺され防止ライトである。本発明の光拡散型ＬＥＤ、光拡散型レーザーダイオード、光拡散型発光パネルとは、特許第４７４３９２７号を適用したＬＥＤ、レーザーダイオード、発光パネルであるが、一般に流通している拡散剤を使用したＬＥＤ、レーザーダイオード、発光パネルも含む。【０００５】  本発明は、上記目的を達成するために、少なくとも１つの近赤外線発光要素を持つ、光拡散型ではないＬＥＤ、光拡散型ではないレーザーダイオード、光拡散型ではない発光パネルなどを使用し、この近赤外線発光要素を直流や交流を使用して点灯させた蚊刺され防止ライトである。本発明の光拡散型ではないＬＥＤ、光拡散型ではないレーザーダイオード、光拡散型ではない発光パネルとは、特許第４７４３９２７号を適用しないＬＥＤ、レーザーダイオード、発光パネル、および一般に流通している拡散剤を使用していないＬＥＤ、レーザーダイオード、発光パネルである。
【発明の効果】
【０００６】  本発明は、近赤外線を使用しているので、風のある屋内や風のある公園などの屋外および携帯用であっても、風の強さや風向きに影響されずに、人や動物が蚊に刺されるのを防止する効果がある。【０００７】  また、本発明は、人や動物が蚊刺され防止ライトの物陰であっても、蚊に刺されるのを防止する効果がある。【０００８】  また、本発明は、近赤外線を使用しており、近赤外線は人の目には見えないので本発明を使用していても気にならず違和感がない。【０００９】  また、本発明は、臭いもなく殺虫成分も含まないので人や動物に害がなく安全性が高いので、乳幼児、アレルギーの人、動物がいるところ、オフィス、厨房、食事処など、従来の蚊とり線香や殺虫剤が使用出来ないところでも使用出来る。【００１０】  また、本発明は、消費電力が小さいので省エネ効果がある。【００１１】  また、本発明は、電池、バッテリー、家庭用電源、工業用電源、太陽光発電など、使用場所に応じた電源に対応出来る。【００１１】  また、本発明は火気を使用していないので火災の原因にならないので安全である。【００１２】  また、本発明は、ケースの形や大きさを自由に出来るので、このケースを使用する場所（屋内、屋外）、使用する方法（据置用、壁掛け用、携帯用など）などに合わせた形に出来る。
【図面の簡単な説明】
【００１３】
【図１】本発明の出願に係る第一の実施形態を示す側面図である
【図２】本発明の出願に係る第二の実施形態を示す側面図である。
【図３】本発明の出願に係る第三の実施形態を示す側面図である。
【図４】本発明の出願に係る第四の実施形態を示す側面図である。
【図５】本発明の出願に係る第五の実施形態を示す側面図である。
【発明を実施するための形態】
【００１４】    以下、図面に基づき本発明の実施の形態を説明する。
【００１５】  近赤外線発光要素に、８１０ｎｍから１５００ｎｍ間の波長を出す、光拡散型ＬＥＤ、光拡散型レーザーダイオード、光拡散型発光パネルなどを使用し、電池、バッテリー、ＡＣアダプター、太陽光発電、風力発電などで点灯させるようにした蚊刺され防止ライトである。
【００１６】  近赤外線発光要素に、８１０ｎｍから１５００ｎｍ間の波長を出す、光拡散型ではないＬＥＤ、光拡散型ではないレーザーダイオード、光拡散型ではない発光パネルなどを使用し、電池、バッテリー、ＡＣアダプター、太陽光発電、風力発電などで点灯させるようにした蚊刺され防止ライトである。
【実施例】
【００１７】  第１の実施例は、図１に示したように、近赤外線の波長（８１０ｎｍから１５００ｎｍ間の波長）を出す光拡散型ＬＥＤであるＬＥＤ１ａ、ＬＥＤ１ｂ、ＬＥＤ１ｃをケース２に装着し、保護カバー３でこれらＬＥＤを保護し、これらＬＥＤをスイッチ４で点灯または消灯させ、これらＬＥＤの電源は乾電池６であるが、ＡＣアダプタージャック５を有しているのでＡＣアダプターも使用出来る、蚊刺され防止ライトの側面図である。本実施例は、光拡散型ＬＥＤを使用しているので、近赤外線がＬＥＤの周囲に拡散するので広範囲で蚊刺され防止の効果が大きい。乾電池６のみを使用すると携帯用としても使用出来、ＡＣアダプターを使用することで交流が使用出来る。保護カバー３は透明であるが、半透明や光拡散機能を持つ保護カバーでも良い。【００１８】  第２の実施例は、図２に示したように、実施例１のケース２に可視光の光拡散型ＬＥＤであるＬＥＤ１ｄを装着した蚊刺され防止ライトの側面図である。他の符号は実施例１に準じる。ＬＥＤ１ｄは、蚊刺され防止ライトが点灯しているかを確認するための視認灯である。この視認灯は、本実施例の近赤外線発光要素の点灯または消灯を示す。ＬＥＤ１ｄは可視光であればＬＥＤ以外の発光体でもよい。【００１９】  第３の実施例は、図３に示したように、近赤外線の波長（８１０ｎｍから１５００ｎｍ間の波長）を出す発光パネル７をケース２に装着した蚊刺され防止ライトである。他の符号は実施例１に準じる。発光パネル７から出る波長に、８１０ｎｍから１５００ｎｍ間の波長が含まれておれば、可視光や紫外光などの波長が含まれていてもよく、発光パネル７の形状や大きさなどに限定はない。【００２０】  第４の実施例は、図４に示したように、光拡散型ＬＥＤではないＬＥＤで、近赤外線の波長（８１０ｎｍから１５００ｎｍ間の波長）を出すＬＥＤ８ａ、ＬＥＤ８ｂ、ＬＥＤ８ｃおよび視認灯ＬＥＤ８ｄを、ケース２に装着した側面図である。他の符号は実施例１に準じる。本実施例は、光拡散型ではないＬＥＤを使用しているので、近赤外線が特定の方向に放射されので、この特定の方向に蚊刺され防止の強い効果がある。【００２１】  第５の実施例は、実施例４と同様の光拡散型ではないＬＥＤを使用しているが、図５に示したように、ＬＥＤ８ａ、ＬＥＤ８ｃの光が横方向に明るく拡がるように、これらＬＥＤを横方向に装着した蚊刺され防止ライトの側面図である。他の符号は実施例１に準じる。本実施例では、これらＬＥＤを横方向に向けているが斜め上方向でもよい。【００２２】  本実施例のＬＥＤ１ａ、ＬＥＤ１ｂ、ＬＥＤ１ｃ、ＬＥＤ１ｄ、ＬＥＤ８ａ、ＬＥ８ｂ、ＬＥＤ８ｃおよびＬＥＤ８ｄは砲弾型の他に、ドーム型および平面型などが使用出来、これらＬＥＤの形状や大きさに限定はなく使用数量にも限定はない。また、これらＬＥＤをケース３に装着する方法や形態についても限定はない。また、これらＬＥＤをレーザーダイオードに変えてもよい。これらＬＥＤを点灯する電源は、乾電池５やＡＣアダプターの他に、充電池、太陽光発電、風力発電などを使用してもよく、電源の種類に限定はない。ケース２やスイッチ４および保護カバー３の材質、形状および大きさなどに限定はない。
【符号の説明】
【００２３】  １ａ  光拡散型ＬＥＤ
１ｂ  光拡散型ＬＥＤ
１ｃ  光拡散型ＬＥＤ
１ｄ  光拡散型ＬＥＤ
２    ケース
３    保護カバー
４    スイッチ
５    ＡＣアダプタージャック
６    乾電池
７    発光パネル
８ａ  光拡散型ではないＬＥＤ
８ｂ  光拡散型ではないＬＥＤ
８ｃ  光拡散型ではないＬＥＤ
８ｄ  光拡散型ではないＬＥＤ
【図１】
2013236611.tif 000003
【図２】
2013236611.tif 000004
【図３】
2013236611.tif 000005
【図４】
2013236611.tif 000006
【図５】
2013236611.tif 000007